(57)【要約】　　　（修正有）【課題】筆記用具、又は化粧用具に対し容易に挿脱でき、しかも、使用時において堅固な緊着状態を実現できる筆記用具をカバーするグリップ、及び当該グリップを使用した筆記用具、又は化粧用具の構成を提供すること。【解決手段】略正多角形断面を有している棒状の筆記用具、又は化粧用具１を外側からカバーするグリップ２であって、長手方向の全ての領域、又は複数個の一部の領域において、筆記用具、又は化粧用具の外側面１１と当接し得る略正多角形状の内側面を設け、該内側面を特定している略正多角形の最大径は、筆記用具、又は化粧用具１の略正多角形断面の最大径よりも大きく設定し、該内側面を特定している略正多角形の最小径は、筆記用具、又は化粧用具１の多角形断面の最大径よりも小さく設定することに基づく、挿脱及び堅固な緊着状態を可能とする着脱可能なグリップ２、及び当該グリップ２を使用した筆記用具、又は化粧用具１。【選択図】　　　　　図３
2004009307.tif 000002
【特許請求の範囲】
【請求項１】
略正多角形状の断面を有している棒状の筆記用具、又は化粧用具を外側からカバーするグリップであって、長手方向の全ての領域、又は複数個の一部の領域において、筆記用具、又は化粧用具の外側面と当接し得る略正多角形状の内側面を設け、該内側面を形成している略正多角形の最大径は、筆記用具、又は化粧用具の略正多角形状の断面の最大径よりも大きく設定し、該内側面を形成している略正多角形の最小径は、筆記用具、又は化粧用具の略正多角形状の断面の最大径よりも小さく設定することに基づく挿脱可能なグリップを複数個使用したことによる筆記用具、又は化粧用具。
【請求項２】
弾性変形を可能とする素材を用いたことを特徴とする請求項１記載の筆記用具、又は化粧用具。
【請求項３】
筆記用具、又は化粧用具として、圧縮変形が可能である素材を使用し、かつグリップとして弾性変形が乏しい素材を使用していることを特徴とする請求項１記載の筆記用具、又は化粧用具。
【請求項４】
長手方向に複数個設けられた当接する領域である内側面において、略正多角形を形成する稜に相当する部分の一部又は全てが切断された状態にある板状態を採用し、かつ当該板状態が、曲げ弾性に基づいて、筆記用具、又は化粧用具の略正多角形状の断面の稜の部分を押圧し得るグリップを使用したことを特徴とする請求項１記載の筆記用具、又は化粧用具。
【請求項５】
筆記用具、又は化粧用具の外側面と当接し得る領域である、内側面の略正多角形状の辺に沿って凹凸面を設けたグリップを使用したことを特徴とする請求項１記載の筆記用具、又は化粧用具。
【発明の詳細な説明】
【０００１】
【発明の属する技術分野】
本発明は、断面を略正多角形状とし、棒状の筆記用具、又は化粧用具を外側からカバーし、かつ挿脱可能なグリップを使用した筆記用具、又は化粧用具に関するものである。
【０００２】
【従来の技術】
従来、鉛筆・ボールペンなどの器具、及び化粧ペンなどの化粧用具において、把握のし易さ、又は特に器具の内の鉛筆のように、使用及び削切に伴う短小化に対する対策などのために、挿脱可能なグリップが採用されている。
【０００３】
従来技術によるグリップは、大抵の場合、カバーの対象となる筆記用具、又は化粧用具の外側面を概略同一形状及び同一の大きさによる内側面を有する構成が採用されていた。
【０００４】
しかしながら、このような形状では、前記外側面と内側面との寸法誤差が小さく、堅固な嵌合が可能な場合には、挿脱が困難となり、前記外側面と内側面との寸法上の相違が大きいために、挿脱が容易な場合には、逆に堅固な嵌合が不可能となるという基本的な問題点が存在していた。
【０００５】
このような問題点をクリアするために、弾性変形を可能とする素材を採用し、かつグリップの内側面の径を筆記用具、又は化粧用具の外側面の径よりもやや小さく設計し、グリップによって、筆記用具、又は化粧用具を弾性的に押圧した状態にて嵌合する構成も採用されていた。
【０００６】
しかしながら、このような構成においては、グリップを筆記用具、又は化粧用具に対する挿脱が相当労力を要し、必ずしも容易ではないという問題点が生じていた。
【０００７】
出願人は、上記の如き従来技術によるグリップの欠点を克服し、挿脱を容易に可能とする筆記用具、又は化粧用具における挿脱可能なグリップの構成に関し、既に御丁に対し特願２００１−３６２１４５に係る発明の出願を行っている（上記出願を「先願」と略称し、先願に係る発明を「先願発明」と略称する。）。
【０００８】
前記出願においては、各実施態様によるグリップを使用した筆記用具、又は化粧用具をも発明の対象としているが、上記筆記用具、又は化粧用具においては、使用するグリップとしてその数を特定している訳ではない。
【０００９】
他方、前記出願のグリップの長さは、千差万別であり、必ずしも１個のグリップによって筆記用具、又は化粧用具の必要な領域をカバーし得る訳ではない。
【００１０】
【発明が解決しようとする課題】
本発明は、先願発明のグリップを採用することを前提として、グリップによってカバーする領域につき、随時必要かつ適切に対応することを可能とするような筆記用具、又は化粧用具の構成を提供することを課題とするものである。
【００１１】
【課題を解決するための手段】
上記課題を解決するため、本発明の構成は、略正多角形状の断面を有している棒状の筆記用具、又は化粧用具を外側からカバーするグリップであって、長手方向の全ての領域、又は複数個の一部の領域において、筆記用具、又は化粧用具の外側面と当接し得る略正多角形状の内側面を設け、該内側面を形成している略正多角形の最大径は、筆記用具、又は化粧用具の略正多角形状の断面の最大径よりも大きく設定し、該内側面を形成している略正多角形の最小径は、筆記用具、又は化粧用具の略正多角形状の断面の最大径よりも小さく設定することに基づく挿脱可能なグリップを複数個使用したことによる筆記用具、又は化粧用具からなる。
【００１２】
【発明の実施の形態】
上記課題を解決するための手段の記載からも明らかなように、本発明のグリップを使用する筆記用具、又は化粧用具は、断面略正多角形状をなす棒状であることを前提としている。
【００１３】
このような断面が略正多角形状である筆記用具、又は化粧用具に対し、本発明のグリップもまた、先願発明の場合と同様長手方向の全ての領域又は一部の領域において設定される接触領域の内側面をも略正多角形状とし、筆記用具、又は化粧用具の断面の最大径に対し、グリップの該内側面の最大径をより大きく設定し、最小径をより小さく設定することに構成上の特徴点を有している。
【００１４】
このような構成によって、図３（ａ）に示すように、該内側面と断面とが、全ての領域において隙間を形成するような状態とした場合に、グリップ２の挿入及び脱出を行い、他方、グリップ２と筆記用具、又は化粧用具１とを相対的に回転することによって、図３（ｂ）に示すように、該内側面における略正多角形状の辺に対し、筆記用具、又は化粧用具１において、略正多角形状の断面のうち、最大径の部分（稜）が当接し、かつ双方が押圧し合う状態とすることによって、グリップ２を筆記用具、又は化粧用具１に対し外側から緊着させることができる。
【００１５】
図３（ａ）、（ｂ）に示すように、該外側面の略正多角形状と該内側面の略正多角形状の多角形の数は、同一に設計することが多いが、本発明の構成は、必ずしも同一であることに限定される訳ではない。
【００１６】
即ち、図４（ａ）に示すように、グリップ２の該内側面を略正四角形状とし、筆記用具、又は化粧用具の該外側面１１を略正六角形状する設計、及び図４（ｂ）に示すように、例えばグリップ２の該内側面を略正六角形状とし、筆記用具、化粧用具の該外側面１１を略正四角形状とする設計もまた採用することができる。
【００１７】
但し、図４（ａ）、（ｂ）に示すように、双方の略正多角形状の数が異なる設計の場合には、挿脱の位置、及び緊着させる位置の選択範囲が狭いという点において、双方の多角形の数が同一である場合に比し、使用上やや不便である。
【００１８】
本発明においては、図５に示すように、前記筆記用具、又は化粧用具１に対し、複数個（２個以上）のグリップ２によってカバーしていることを基本的特徴としている。
【００１９】
このようにグリップ２を複数個採用することによって、筆記用具、又は化粧用具２に対し色々な領域をカバーすることができると共に、必要に応じては、筆記用具、又は化粧用具１の全領域をカバーすることもできる。
【００２０】
グリップ２として、例えばゴムなどのように、弾性変形が可能である素材を選択した場合には、グリップの該内側面２１が筆記用具、又は化粧用具の外側面１１と緊着している段階において、該外側面１１の段差変形に伴って押圧することができ、十分な緊着状態を実現することができる。
【００２１】
これに対し、グリップ２において、例えば金属のように弾性変形が極めて乏しい素材を通常の形態にて採用した場合には、弾性変形に伴う十分な緊着状態を実現することは、できない。
【００２２】
このような弾性変形が乏しい素材の場合には、逆に筆記用具、又は化粧用具１の素材が、圧縮変形可能な素材（弾性変形可能である場合とそうでない場合との双方が存在し得る。）を採用することによって、グリップ２との間の緊着状態を実現することができる。
【００２３】
以上のような構成による本発明においては、グリップ２の筆記用具、又は化粧用具１に対する挿脱を簡単に実現できると共に、使用中においては、筆記用具、又は化粧用具１との間で緊着した状態にてカバーすることが可能となり、従来技術の欠点を克服することができると共に、グリップ２を複数個使用することによって、前記のようなグリップ２の挿脱における長所を遺憾なく発揮することができる。
【００２４】
以下、実施例に従って説明する。
【００２５】
【実施例１】
前記のように、グリップ２を金属のような弾性変形に乏しい素材をストレートに使用した場合には、筆記用具、又は化粧用具１は、原則として圧縮変形し得る素材であることを必要とする。
【００２６】
実施例１は、グリップ２として、金属のように、弾性変形に乏しい素材を採用しながらカバーする筆記用具、又は化粧用具１において、押圧によって変形しないような場合においても適用できる構成を提供している。
【００２７】
即ち、図１（ａ）、（ｂ）に示すように、各グリップ２において、長手方向において複数個の筆記用具、又は化粧用具の外側面１１と当接する領域を設け、当該領域の内側面を、略正多角形の稜の部分の先端からの一部又は全てを切断したことによる板状体とし、かつ板状体が曲げ弾性を有することを特徴としている。
【００２８】
このような曲げ弾性によって、前記領域の内側面は、筆記用具、又は化粧用具の外側面１１を弾性的に押圧した状態とするような設計が可能であり、当該設計によって、グリップ２と筆記用具、又は化粧用具１との緊着を十分なものとすることができる。
【００２９】
【実施例２】
グリップ２と筆記用具、又は化粧用具１とが緊着している段階においては、各グリップの内側面２１と筆記用具、又は化粧用具の外側面１１とは、押圧し合った関係にあるが、双方の押圧面の接触抵抗が大きいほど安定した緊着状態を実現することができる。
【００３０】
実施例２においては、このような接触抵抗を増大するために、グリップ２の当該内側面につき、少なくとも筆記用具、又は化粧用具の外側面１１と当接する部位において、略正多角形状の辺に沿って凹凸形状を設けている。
【００３１】
前記凹凸形状の設定によって、該内側面と外側面との接触抵抗が増大し、グリップ２と筆記用具、又は化粧用具１の安定した緊着状態を実現することができる。
【００３２】
【発明の効果】
以上の構成による本発明においては、グリップを棒状の筆記用具、又は化粧用具に対し、容易に挿入及び脱出することができると共に、双方を、長手方向を軸として具体的に回転させることによって緊着状態を実現し、グリップの筆記用具、又は化粧用具に対するカバーを安全な状態とすることができる。
【００３３】
このように、本発明は、挿脱の容易性及びカバーの安全性の双方を両立させる程度において画期的であり、その価値は絶大である。
【図面の簡単な説明】
【図１】実施例１の構成を示しており、（ａ）は、グリップと、筆記用具、または化粧用具とが緊着した状態による長手方向断面図であり、（ｂ）は、グリップの長手方向からの側面図である。
【図２】実施例２の構成を示すグリップの長手方向からの側面図である。
【図３】本発明におけるグリップと筆記用具、又は化粧用具との基本的な関係を示す長手方向と直交する方向の断面図であり、（ａ）は、グリップを筆記用具、又は化粧用具に対し挿入する段階又はこれらから脱出する段階を示しており、（ｂ）は、グリップと筆記用具、又は化粧用具とが緊着し合っている状況を示している。
【図４】グリップの内側面における略正多角形状と、筆記用具、又は化粧用具の断面における略正多角形状との多角形の数が等しくない場合のグリップと筆記用具、又は化粧用具との関係を示す断面図であり、（ａ）は、該内側面が略正六角系であり、該断面が略正四角形である場合を示しており、（ｂ）は、該内側面が正六角形状であり、該外側面が正四角形状である場合を示している（尚、点線部分は、回転することによって、筆記用具、又は化粧用具と緊着した状態に至っているグリップの内側面の位置を示す。）。
【図５】本発明の基本構成を示す長手方向側面図である。
【符号の説明】
１：筆記用具、又は化粧用具
１１：筆記用具、又は化粧用具の外側面
２：グリップ
２１：筆記用具、又は化粧用具の外側面と当接するグリップの内側面
【図１】
2004009307.tif 000003
【図２】
2004009307.tif 000004
【図３】
2004009307.tif 000005
【図４】
2004009307.tif 000006
【図５】
2004009307.tif 000007